(57)【特許請求の範囲】
【請求項１】
二重床の上床を支持する支持ボルトと、その下端に装着して下床上に設置する防音具を有する二重床の防音足部材において、
前記支持ボルトの下端にフランジ部を有し、
前記防音具が、貫通孔を有する筒状の台座部、クッション材及び加圧ナットを下方から順次積み重ね、該貫通孔に前記支持ボルトを挿通するものであり、
前記台座部の下面の貫通孔の周囲に前記支持ボルトのフランジ部上面が当接し、前記加圧ナットを締め付けることで前記クッション材が前記台座部と加圧ナットの間で強制的に圧縮され、
前記台座部下面に環状突条が形成されていることで、前記支持ボルトが、上から荷重が作用したときに下方に変位可能になっていることを特徴とする二重床の防音足部材。
【請求項２】
二重床の上床を支持する支持ボルトと、その下端に装着して下床上に設置する防音具を有する二重床の防音足部材において、
前記防音具が、貫通孔を有する筒状の台座部、クッション材及び雌ねじ孔を有する加圧ナットを下方から順次積み重ね、該貫通孔に締付ボルトを挿通し前記雌ねじ孔に螺着したものであり、
前記台座部の下面の貫通孔の周囲に前記締付ボルトのフランジ部上面が当接し、前記加圧ナットを締め付けることで前記クッション材が前記台座部と加圧ナットの間で強制的に圧縮され、
前記台座部下面に環状突条が形成されていることで、前記締付ボルトが、上から荷重が作用したときに下方に変位可能になっており、
前記支持ボルトが前記加圧ナット上面の装着部に装着されていることを特徴とする二重床の防音足部材。
【請求項３】
前記台座部が、上部の台座板と下部の台座板受からなり、該台座板はプラスチック、金属などの硬質材でなり貫通孔の径が前記支持ボルト径より大きく前記フランジ部より小さく形成され、該台座板受はゴムなどの弾性体でなり貫通孔の径が前記支持ボルトのフランジ部の径よりも大きい請求項１又は２に記載の二重床の防音足部材。
【請求項４】
前記台座板受が前記クッション材よりも硬度が大きい請求項３に記載の二重床の防音足部材。
【請求項５】
前記クッション材と前記加圧ナットの間に防音具外径よりも大きな外径を有する遮音シートを挟み込んだ請求項１〜４のいずれかに記載の二重床の防音足部材。
【請求項６】
請求項１〜５のいずれかの防音足部材で上床を支持したことを特徴とする二重床。
【発明の詳細な説明】
【技術分野】
【０００１】
本発明は、鉄筋コンクリート造などのコンクリートスラブなどの下床の上に上床を施工する二重床において、上床を支持する二重床の防音足部材に関する。
【背景技術】
【０００２】
図９は従来の防音足部材を装着した二重床を示している。従来から、コンクリートスラブなどの下床７上に受板６（束板又は根太）を複数並べて配置し、その上に上床８を貼る二重床が知られている。上床８は、通常パーティクルボードなど下貼り材８ａとフローリングなどの仕上材８ｂからなる。受板６は正方形状の束板や細長い板状の根太などがあり、下方に突出する足部材が、束板の場合は中央部に１カ所、根太の場合は少なくとも両端付近に２カ所取り付けられる。足部材は下端にクッション材３を装着した支持ボルト５で、木質の受板６に取り付けた受ナット６１に螺着されている。支持ボルト５の上端面には溝が形成されており、上からドライバーなどで回転させることで高さを調整できるようになっている。クッション材３はゴム塊で、上面に凹設した装着部に支持ボルト５の下端部を嵌着して支持ボルト５に装着される。このような防音足部材は上床の振動（音）が下床に伝わるのを低減する。
【０００３】
また、下記特許文献１には、上記従来の防音足部材よりも防音性能を高めた防音足部材が開示されている。これは、クッション材を、上部材と、上面に上部材よりも大きい径の凹部を有するゴムなどの弾性材でなる下部材と、下部材に外嵌するべく概略筒状に形成されその周壁に外周部を碇着して水平方向に設けられた支持膜を有する外嵌部材とで構成したものである。下部材に外嵌部材を外嵌した状態で支持膜が下部材の上面に接触すると共に、上部材が支持膜の上かつ前記凹部の上で支持される。上床の音は上部材、支持膜、下部材を経て下床に伝達されるが、上部材は丁度ハンモックに乗っているように支持膜上で支持されるために、上部材の振動が支持膜の振動によって吸収され、下部材に伝達しにくくなるものである。
【先行技術文献】
【特許文献】
【０００４】
【特許文献１】特開２００３−３２８５３９号公報
【発明の概要】
【発明が解決しようとする課題】
【０００５】
上床から下床に伝わる音には、軽量衝撃音と重量衝撃音とがある。軽量衝撃音は主に通常の生活音を基準としたもので、重量衝撃音は子供の走り回る音、物を落としたときに生じる音など、特別な行動によって生じるものである。
二重床単体の遮音性能は、上階のコンクリート床（下床）に直接タンピングマシンなどで騒音を発生させ下階で測定した音量に対し、上階に二重床を施工し、その上で騒音を発生させ下階で測定した音量がどの程度低減されているかで評価し、一定の基準に基づいて「床衝撃音低減性能等級」で表す。軽量衝撃音の場合は「ΔＬＬ値」で、重量衝撃音の場合は「ΔＬＨ値」で表される。
【０００６】
上記した従来の防音足部材は、軽量衝撃音の低減性能には優れているが、重量衝撃音はほとんど低減されることがなかった。
重量衝撃音のなかでも、特に、６３Ｈｚ帯域の騒音が居住者にとって最も不快を感じるものである。ところが、二重床を施工すると、一般に、６３Ｈｚ帯域の騒音がコンクリート床直接の場合よりも増加する。遮音性能はクッション材の厚さ、形状（接地面積など）又は硬度を適宜選択することで改善が図られているが、試行錯誤によりこのようなパラメータをいくら工夫しても、６３Ｈｚ帯域の重量衝撃音を低減することは困難であった。
【０００７】
本願発明は、居住者が最も不快を感じる６３Ｈｚ帯域の騒音を従来の二重床よりも低減することを課題とするものである。
【課題を解決するための手段】
【０００８】
〔請求項１〕
本発明は、二重床の上床を支持する支持ボルトと、その下端に装着して下床上に設置する防音具を有する二重床の防音足部材において、
前記支持ボルトの下端にフランジ部を有し、
前記防音具が、貫通孔を有する筒状の台座部、クッション材及び加圧ナットを下方から順次積み重ね、該貫通孔に前記支持ボルトを挿通するものであり、
前記台座部の下面の貫通孔の周囲に前記支持ボルトのフランジ部上面が当接し、前記加圧ナットを締め付けることで前記クッション材が前記台座部と加圧ナットの間で強制的に圧縮され、
前記台座部下面に環状突条が形成されていることで、前記支持ボルトが、上から荷重が作用したときに下方に変位可能になっていることを特徴とする二重床の防音足部材である。
【０００９】
〔請求項２〕
また本発明は、二重床の上床を支持する支持ボルトと、その下端に装着して下床上に設置する防音具を有する二重床の防音足部材において、
前記防音具が、貫通孔を有する筒状の台座部、クッション材及び雌ねじ孔を有する加圧ナットを下方から順次積み重ね、該貫通孔に締付ボルトを挿通し前記雌ねじ孔に螺着したものであり、
前記台座部の下面の貫通孔の周囲に前記締付ボルトのフランジ部上面が当接し、前記加圧ナットを締め付けることで前記クッション材が前記台座部と加圧ナットの間で強制的に圧縮され、
前記台座部下面に環状突条が形成されていることで、前記締付ボルトが、上から荷重が作用したときに下方に変位可能になっており、
前記支持ボルトが前記加圧ナット上面の装着部に装着されていることを特徴とする二重床の防音足部材である。
【００１０】
クッション材を、予め圧縮変形させておくことで、６３Ｈｚ帯域の騒音を大幅に改善できることが発見された。
クッション材は、合成ゴム、天然ゴム、エラストマーなどの軟質樹脂など、弾性に優れた材質であれば良く、その硬度はＨｓ５５度〜Ｈｓ７５度程度が適当である。圧縮率は、その厚さが８０％〜９０％程度となるようにするのが望ましい。
【００１１】
〔請求項３〕
また本発明は、前記台座部が、上部の台座板と下部の台座板受からなり、該台座板はプラスチック、金属などの硬質材でなり貫通孔の径が前記支持ボルト径より大きく前記フランジ部より小さく形成され、該台座板受はゴムなどの弾性体でなり貫通孔の径が前記支持ボルトのフランジ部の径よりも大きい請求項１又は２に記載の二重床の防音足部材である。
【００１２】
台座部を硬質の台座板と弾性質の台座受板で構成すると、硬質の台座板でクッション材の圧縮を確実に行い、弾性質の台座受板で６３Ｈｚ帯域よりも振動数が高い帯域の床衝撃音低減性能をさらに向上させることができる。
【００１３】
〔請求項４〕
また本発明は、前記台座板受が前記クッション材よりも硬度が大きい請求項３に記載の二重床の防音足部材である。
【００１４】
台座板受の硬度がクッション材の硬度よりも小さいと、６３Ｈｚ帯域の騒音を低減する効果が減少するおそれがあり、また上床に荷重が作用したときの上床の沈み込みが大きくなり、好ましくない。台座板受の硬度はＨｓ６５度〜Ｈｓ８０度程度が適当である。
【００１５】
〔請求項５〕
また本発明は、前記クッション材と前記加圧ナットの間に防音具外径よりも大きな外径を有する遮音シートを挟み込んだ請求項１〜４のいずれかに記載の二重床の防音足部材である。
【００１６】
遮音シートを設けることで、遮音効果を向上させることができる。遮音シートは、厚さ６ｍｍ〜１２ｍｍ程度のゴムシート、軟質プラスチックシートなどが適当である。
【００１７】
〔請求項６〕
また本発明は、請求項１〜５のいずれかの防音足部材で上床を支持したことを特徴とする二重床である。
【発明の効果】
【００１８】
本発明によれば、クッション材を、予め圧縮変形させておくことで、６３Ｈｚ帯域の騒音を大幅に改善できる。
また、上床に荷重が作用したときの上床の沈み込みが小さくなり、上床上を歩行したときの違和感が解消され、重い家具などを設置したときの上床の傾きも低減される。
【図面の簡単な説明】
【００１９】
【図１】実施例の防音足部材及び二重床の断面説明図である。
【図２】防音具１の断面説明図である。
【図３】台座板２１の下面図である。
【図４】クッション材３の上面図である。
【図５】加圧ナット４の上面図である。
【図６】防音具１ａの断面説明図である。
【図７】防音具１ｂの断面説明図である。
【図８】防音具１ｃの断面説明図である。
【図９】従来の防音足部材の断面説明図である。
【発明を実施するための形態】
【実施例】
【００２０】
図１は、実施例の防音足部材及び二重床の断面説明図、図２は防音具１の断面説明図である。
【００２１】
図１，２の防音足部材は、支持ボルト５及びその下端に設けられた防音具１からなる。
支持ボルト５はプラスチック製又は金属製（本実施例はφ１６ｍｍのプラスチック製）で、下端にフランジ部５ａが一体成形されている。
【００２２】
防音具１は、貫通孔を有する筒状の台座部２、クッション材３及び加圧ナット４を下方から順次積み重ねてなり、貫通孔に前記支持ボルトが挿通されている。
台座部２は、台座板２１及び台座板受２２からなる。
台座板２１はプラスチック、金属などの硬質材（本実施例は直径４０ｍｍの円板状プラスチック板）でなり、中心に支持ボルトが挿通する貫通孔２１ａが形成され、その周囲の下面が支持ボルトのフランジ部５ａ上面が当接する当接面２１ｂとなっており、その周囲に環状突起２１ｃが下方に向かって突出形成されている。（図３）
台座板受２２は、Ｈｓ硬度７０度の合成ゴム製で、直径４０ｍｍ、厚さ８ｍｍのドーナツ板状をなし、中央の貫通孔２２ａに台座板の環状突起２１ｃが内嵌して位置決めされている。したがって、貫通孔２２ａの径は、支持ボルトのフランジ部５ａの径、さらには環状突起２２１ｃの外径よりも大きくなっている。台座板受２２が環状突条として機能し、上から荷重が作用したときに支持ボルトが下方に変位可能になっている。
【００２３】
クッション材３は、Ｈｓ硬度６５度の合成ゴム製で、外径２８〜４０ｍｍ、厚さ３０ｍｍの円筒状をなし、中央に支持ボルト５が挿通する貫通孔３ａが、外周部に膨出部３ｂが形成されている。（図４）
【００２４】
加圧ナット４はプラスチック製又は金属製（本実施例は直径４０ｍｍの円板状プラスチック製）で、中央に支持ボルト５が螺合する貫通孔４ａ（雌ねじ孔）が形成され、下端はクッション材３を十分に圧縮できるように径の大きなフランジ４ｂとなっており、その上面には補強のためのリブ４ｃが半径方向に４本形成されている。（図５）
【００２５】
加圧ナット４を下方に向かって締め付けることで、クッション材３が台座部２と加圧ナット４の間で強制的に圧縮され、その厚さが３０ｍｍから２５ｍｍに圧縮変形している。
【００２６】
図１、２の防音足部材は、コンクリートスラブ等の下床７上に適宜間隔で配置され、支持ボルト５の上部には上床８が施工される。
支持ボルト５の上部は木質、プラスチック又は金属の受板６（本実施例は木質の束板）に取り付けた受ナット６１に螺着されている。支持ボルト５の上端面には溝（図示せず）が形成されており、上からドライバーなどで回転させることで受板の高さを調整できるようになっている。
受板６の上面には上床８が貼付される。上床８はパーティクルボードの下貼り材８ａとフローリングの仕上材８ｂからなる。
【００２７】
図６の防音具１ａは、図２の実施例のクッション材３と加圧ナット４の間に遮音シート９を挟み込んだもので、その他の構成は図２の防音具１と同じである。
遮音シート９の材質はアスファルトと鉄粉等を混合し,シート状に成形したものである。
【００２８】
図７の防音具１ｂは、図２の実施例の台座部２を、プラスチックで一体成形したものである。下面外周部に、上から荷重が作用したときに支持ボルト５を下方に変位可能にするための環状突条２ａが一体成形されている。
【００２９】
図８の防音具１は、台座部２、クッション材３、加圧ナット４及び締付ボルト１０からなる。
台座部２は、台座板２１及び台座板受２２からなる。
台座板２１はプラスチック、金属などの硬質材でなり、中心に締付ボルト１０が挿通する貫通孔が形成され、その周囲の下面が締付ボルト１０のフランジ部１０ａ上面が当接する当接面となっており、その周囲に環状突起が下方に向かって突出形成されている。
台座板受２２は合成ゴム製で、ドーナツ板状をなし、中央の貫通孔２２ａに台座板の環状突起が内嵌して位置決めされている。台座板受２２が環状突条として機能し、上から荷重が作用したときに締付ボルトが下方に変位可能になっている。
クッション材３は、円筒状の合成ゴム製である。
【００３０】
加圧ナット４はプラスチック製又は金属製で、中央に締付ボルト１０が螺合する雌ねじ孔が形成されている。本実施例では、雌ねじ孔が貫通孔となっているが、必ずしも貫通孔でなくとも良い。
加圧ナット４の上部には、支持ボルトを装着する装着部４ｄが凹設されている。支持ボルト５は装着部４ｄに挿入して支持されると共に、下端の細径部５ｂが加圧ナットの雌ねじ孔に挿入されている。装着部の形状は本実施例に限るものではなく、支持ボルトを装着して支持できるものであれば、どのような形状でも良い。
【００３１】
加圧ナット４を下方に向かって締め付けることで、クッション材３が台座部２と加圧ナット４の間で強制的に圧縮され、その厚さが３０ｍｍから２５ｍｍに圧縮変形している。
【００３２】
本実施例は、前記の防音具１，１ａ，１ｂと比較して、受板の高さを調整するために上からドライバーなどで支持ボルトを回転させるときに、支持ボルトの回転が容易になる。
【００３３】
図１の実施例と図９の構造の比較例（従来例）について、重量衝撃音の低減量（表１）及び軽量衝撃音の低減量（表２）を測定した。
表１に見られるように、重量衝撃音の低減量は、６３Ｈｚ帯域において、実施例は比較例を大幅に上回っている。１２５Ｈｚ帯域以上では、実施例は比較例に対して僅かに下回っているが、６３Ｈｚ帯域の重量衝撃音は他の帯域に比べて人体の聴覚等に対する作用が非常に大きいので、全体として、実施例は比較例に対して重量衝撃音の低減量が大幅に上回っているといえる。
また、表２に見られるように、軽量衝撃音の低減量は、実施例と比較例ではほとんど変わらなかった。
【００３４】
【表１】
0005383440.tif 000002
【００３５】
【表２】
0005383440.tif 000003
【符号の説明】
【００３６】
１，１ａ，１ｂ，１ｃ  防音具
２  台座部
２ａ  環状突条
２１  台座板
２２  台座板受
３  クッション材
４  加圧ナット
５  支持ボルト
５ａ  フランジ部
５ｂ  細径部
６  受板
６１  受ナット
７  下床
８  上床
９  遮音シート
１０  締付ボルト
１０ａ  フランジ部
【図１】
0005383440.tif 000004
【図２】
0005383440.tif 000005
【図３】
0005383440.tif 000006
【図４】
0005383440.tif 000007
【図５】
0005383440.tif 000008
【図６】
0005383440.tif 000009
【図７】
0005383440.tif 000010
【図８】
0005383440.tif 000011
【図９】
0005383440.tif 000012